(57)【要約】【課題】番組視聴中に他の番組にザッピングを行っても、所定時間経過後にザッピング開始前の視聴番組に確実に戻るようにする。【解決手段】放送受信機のＣＰＵは、予め登録されたメイン視聴番組（ステップＳ３ａ）の視聴中に、他の番組に切り換えられる（ステップＳ３ｂ）と、メイン視聴番組以外の他の番組を所定時間だけ視聴するザッピングモードを開始する（ステップＳ３ｃ）。そして、放送受信機のＣＰＵは、タイマに上記所定時間を設定し（ステップＳ３ｄ）、このタイマから所定時間が経過したことが通知されると（ステップＳ３ｍ）、上記ザッピングモードを解除し、メイン視聴番組の再生に戻す（ステップＳ３ｎ）。【選択図】      図３
2006319869.tif 000002
【特許請求の範囲】
【請求項１】
放送番組を選択的に受信する受信手段と、
前記選択された番組を再生する番組再生手段と、
前記再生中の番組をメイン視聴番組として登録するメイン視聴番組登録手段と、
前記メイン視聴番組の再生中に他の番組に一時的に再生を切り換えるザッピングモードを設定する設定手段と、
前記ザッピングモードの設定時に、前記メイン視聴番組から前記他の番組に再生が切り換えられたことを検出してザッピング開始と判断し、所定時間経過後に前記メイン視聴番組の再生に戻すメイン視聴番組復帰手段と
を具備することを特徴とする放送受信機。
【請求項２】
前記メイン視聴番組登録手段は、一定時間以上再生された番組をメイン視聴番組として登録することを特徴とする請求項１記載の放送受信機。
【請求項３】
前記メイン視聴番組復帰手段は、前記メイン視聴番組の再生に戻るまでの復帰時間を提示する復帰時間提示手段をさらに備えることを特徴とする請求項１記載の放送受信機。
【請求項４】
前記メイン視聴番組復帰手段は、前記メイン視聴番組の再生に戻るまでの復帰時間を任意に調整する復帰時間調整手段をさらに備えることを特徴とする請求項１記載の放送受信機。
【請求項５】
前記番組と共に当該番組のコンテンツに関する番組情報が提供されているとき、前記メイン視聴番組復帰手段は、前記番組情報からコンテンツの再生切替時点を判断し、この切替時点に基づいて前記復帰時間を設定することを特徴とする請求項１記載の放送受信機。
【請求項６】
前記放送番組以外の他のソースの再生装置と連携する機能を有する場合に、
前記ザッピングモードの設定手段は、前記一時的な再生切り換えに前記他のソースの再生を含み、
前記メイン視聴番組復帰手段は、前記メイン視聴番組から前記他のソースに再生が切り換えられたことを検出してザッピング開始と判断し、所定時間経過後に前記メイン視聴番組の再生に戻すことを特徴とする請求項１記載の放送受信機。
【請求項７】
前記ザッピングモードの設定を解除するザッピングモード解除手段をさらに具備し、
前記メイン視聴番組復帰手段は、前記ザッピングモードが解除されると、ただちに前記メイン視聴番組の再生に戻すことを特徴とする請求項１記載の放送受信機。
【請求項８】
放送番組を選択的に受信し再生する放送受信機において用いられるザッピング支援方法であって、
前記再生中の番組をメイン視聴番組として登録するメイン視聴番組登録過程と、
前記メイン視聴番組の再生中に他の番組に一時的に再生を切り換えるザッピングモードを設定する設定過程と、
前記ザッピングモードの設定時に、前記メイン視聴番組から前記他の番組に再生が切り換えられたことを検出してザッピング開始と判断し、所定時間経過後に前記メイン視聴番組の再生に戻すメイン視聴番組復帰過程と
を具備することを特徴とするザッピング支援方法。
【発明の詳細な説明】
【技術分野】
【０００１】
この発明は、例えば、衛星放送や地上放送により提供される番組を選択して受信する放送受信機及びザッピング支援方法に関する。
【背景技術】
【０００２】
従来より、衛星放送または地上放送における放送システムでは、複数チャンネルで多種多様な番組を放送しており、視聴者は放送受信機にチャンネルを指定することで、希望する番組を再生させ、視聴している。例えば、オーディオ番組であれば、邦楽、洋楽等の様々な楽曲の他にも、ニュースや英会話等の情報ジャンルも提供されている。
【０００３】
このような番組情報は、ジャンル別に各チャンネルの番組配列が提示された電子番組ガイド（ＥＰＧ：Electronic Program Guide）により提供されており、放送受信機では、ＥＰＧを入力して、視聴者がＥＰＧから希望する番組を指定する。
【０００４】
ところで、衛星放送及び地上放送では、デジタル放送化に伴って番組数が多くなり、ユーザが希望する番組の取捨選択が困難になることが予想される。また、希望する番組が重なる場合も予想される。このため、ユーザは、例えば、視聴中の番組が中断してＣＭ（コマーシャルメッセージ）が開始されたときに、チャンネルを切り換え、他のチャンネルの放送内容を確認する、いわゆるザッピングを行う場合がある。そこで、放送受信機に対し、例えば、ＣＭ中に行われるチャンネル切換操作等を操作履歴として記憶しておき、ＣＭ開始時に記憶された操作履歴を選択肢として自動的に切り換え提示する自動ザッピング機能を搭載することが提案されている（例えば、特許文献１を参照。）。
【特許文献１】特開２００４−５６６３０公報
【発明の開示】
【発明が解決しようとする課題】
【０００５】
ところが、上記従来の放送受信機において、ザッピングを行うと、視聴中であった元の番組に戻ることを忘れてしまい、視聴中の番組の肝心な場面を見逃してしまう可能性がある。また、ザッピングは任意に行われることが多いため、切替操作を頻繁に行うと多数の選択肢が生じてしまい、煩雑になってわかりにくい。
【０００６】
この発明は上記事情に着目してなされたもので、その目的とするところは、番組視聴中に他の番組にザッピングを行っても、所定時間経過後にザッピング開始前の視聴番組に確実に戻すことのできる放送受信機及びザッピング支援方法を提供することにある。
【課題を解決するための手段】
【０００７】
上記目的を達成するためにこの発明に係わる放送受信機は、放送番組を選択的に受信する受信手段と、上記選択された番組を再生する番組再生手段と、上記再生中の番組をメイン視聴番組として登録するメイン視聴番組登録手段と、上記メイン視聴番組の再生中に他の番組に一時的に再生を切り換えるザッピングモードを設定する設定手段とを備える。そして、上記ザッピングモードの設定時に、上記メイン視聴番組から前記他の番組に再生が切り換えられたことを検出してザッピング開始と判断し、所定時間経過後に前記メイン視聴番組の再生に戻すようにしたものである。
【０００８】
また、この発明に係わるザッピング支援方法は、放送番組を選択的に受信し再生する放送受信機において用いられるザッピング支援方法であって、前記再生中の番組をメイン視聴番組として登録するメイン視聴番組登録過程と、前記メイン視聴番組の再生中に他の番組に一時的に再生を切り換えるザッピングモードを設定する設定過程と、前記ザッピングモードの設定時に、前記メイン視聴番組から前記他の番組に再生が切り換えられたことを検出してザッピング開始と判断し、所定時間経過後に前記メイン視聴番組の再生に戻すようにしたものである。
【０００９】
上記発明の放送受信機及びザッピング支援方法では、番組視聴中に他の番組にザッピングを行っても、所定時間経過後にザッピング開始前の視聴番組に確実に戻すことが可能となる。例えば、メイン視聴番組のＣＭ中に番組の切換再生操作を行うとザッピング開始と判断し、所定時間経過後に元のメイン視聴番組に戻す。これにより、メイン視聴番組の肝心な部分を見逃すような事態を防止する。
【発明の効果】
【００１０】
すなわちこの発明によれば、番組視聴中に他の番組にザッピングを行っても、所定時間経過後にザッピング開始前の視聴番組に確実に戻すことのできる放送受信機及びザッピング支援方法を提供することができる。
【発明を実施するための最良の形態】
【００１１】
以下、図面を参照してこの発明の実施の形態を詳細に説明する。
【００１２】
図１は、この発明に係わる放送受信機の構成を示すブロック図である。  
放送受信機１は、携帯型や車載型などのデジタル放送受信機である。この放送受信機１は、アンテナ１１により、放送衛星等からの放送信号を受信し、受信した信号をチューナ１２において周波数変換したのち、ＣＤＭ（Code Division Multiplex）復調部１３により復調処理を行い、パケットデータを抽出する。このパケットデータは、デコーダ部１４において、各番組のコンテンツ（映像、音声、データ等）や番組情報に復号される。番組情報とは、例えば、オーディオ番組の場合、楽曲の開始時刻、曲名、及びアーティスト名などのプレイリストを含むデータであり、番組のコンテンツと共に受信することができる。この番組情報に基づいて当該番組におけるコンテンツの切替時点を判断することが可能である。
【００１３】
放送受信機１は、マイクロプロセッサなどの制御装置（ＣＰＵ：Central Processing Unit）１５を備える。このＣＰＵ１５にバス１６を介して、上記デコーダ部１４とＲＡＭ１１０とＲＯＭ１１１が接続される。上記デコーダ部１４により復号されたコンテンツや番組情報は、上記ＲＡＭ１１０に格納される。
【００１４】
さらにＣＰＵ１５には、液晶表示器（ＬＣＤ）等の表示装置１１２と、スピーカ等の音声出力装置１１３と、操作入力部としてタッチパネル１７とキー・スイッチ１８とがそれぞれ接続される。ＣＰＵ１５は、ＲＡＭ１１０から読み出した映像やデータを表示装置１１２に表示したり、読み出した音声を音声出力装置１１３から出力したりする。ＲＯＭ１１１には、この発明を実現するためのザッピングモード処理を行うプログラムが格納される。
【００１５】
タッチパネル１７は、表示装置１１２の画面上に設けられ、ザッピングモードの設定等に用いられる。キー・スイッチ１８は、例えば、リモートコントローラに設けられ、番組選択、音量調整等に用いられる。また、放送受信機１には、正確な時間を取得するためのリアルタイムクロック１９が備えられる。
【００１６】
ここで、図２を参照して、ザッピングモード設定時の動作について説明する。  
視聴者が番組Ａを選択して一定時間視聴する（画面Ｐ１）と、番組Ａがメイン視聴番組として登録される（画面Ｐ２）。この状態で、視聴者が、例えば、番組Ａの視聴中にＣＭが入って他の番組が視聴したくなり、番組Ｂに変更（ザッピング）したとする（画面Ｐ３）。このとき、ザッピングが開始されたと判断し、復帰までの時間をカウントする。この間、視聴者は自由に番組を切り換えて再生することができる。このザッピング処理中には、画面にはザッピングモードの残り時間が表示される（画面Ｐ３〜Ｐ５）。ザッピングが開始されてから所定時間経過すると（画面Ｐ６）、メイン視聴番組の再生に戻される（画面Ｐ２）。
【００１７】
また、タッチパネル１７には、ザッピング設定時間の残り時間の表示に加えて、各種操作ボタン１７ａ，１７ｂ，１７ｃ，１７ｄ，１７ｅが設けられる。「登録」ボタン１７ａにより、視聴中の番組をメイン視聴番組に登録することができる。ザッピング設定時間の残り時間は、「短縮」ボタン１７ｅ、「延長」ボタン１７ｄにより時間変更が可能で、短縮させたり、延長させたりすることができる。また、「戻る」ボタン１７ｂを押下すると、ザッピング設定時間の残り時間に係わらず、ただちに元のメイン視聴番組に戻すことができる。「キャンセル」ボタン１７ｃは、所定時間後にメイン視聴番組に戻る機能を解除するために用いられる。
【００１８】
次に、以上のように構成された放送受信機１のＣＰＵ１５による処理動作について、図３に示す放送受信機１の動作手順とその内容を示すフローチャートを参照して説明する。  
ステップＳ３ａにおいて、一定時間視聴された番組をメイン視聴番組としてＲＡＭ１１０に記憶する。或いは、「登録」ボタン１７ａの押下を検知することにより、再生中の番組をメイン視聴番組として記憶する。そして、ステップＳ３ｂにおいて、メイン視聴番組から他の番組に切り換えが発生したか否かを監視する。ステップＳ３ｂにおいて、他の番組に切り換えが発生したと判定されると、ステップＳ３ｃに移行して、ザッピングの開始を検知し、ステップＳ３ｄにおいて、ザッピングモード終了までの時間（つまり、メイン視聴番組に戻すまでの復帰時間）をタイマに設定する。また、ステップＳ３ｅにおいてザッピング設定時間の残り時間を表示装置１１２に表示する。
【００１９】
この状態で、ステップＳ３ｆにおいて、メイン視聴番組の番組情報をもとにＣＭの挿入やコンテンツの切替が検知された場合は、ステップＳ３ｎに移行してメイン視聴番組に切り換え、ザッピング処理を終了する。また、ステップＳ３ｇにおいて、「戻る」ボタン１７ｂの押下が検知された場合は、ステップＳ３ｎに移行して、メイン視聴番組に切り換える。
【００２０】
また、ステップＳ３ｈにおいて、「延長」ボタン１７ｄが押下された場合は、ステップＳ３ｊに移行して、タイマ設定時間を一定時間延長する。これに対し、ステップＳ３ｋにおいて、「短縮」ボタン１７ｅが押下された場合は、ステップＳ３ｌに移行して、タイマ設定時間を一定時間短縮する。また、ステップＳ３ｍにおいて、タイマに設定されたザッピング終了時間が到来すると、ステップＳ３ｎに移行してメイン視聴番組に切り換える。
【００２１】
さらに、ステップＳ３ｏにおいて、「キャンセル」ボタン１７ｃが押下された場合には、メイン視聴番組の登録が解除され、ザッピングモード終了となる。つまり、視聴者は、ザッピングにより切り換えた番組を継続して視聴することができる。一方、ステップＳ３ｆ〜ステップＳ３ｏにおいて、各種イベントが発生しなかった場合は、ステップＳ３ｏからステップＳ３ｅに移行し、ザッピングモードの残り時間を表示装置１１２に表示し、ザッピングモードが終了する、或いは解除されるまで、上述した動作を繰り返す。
【００２２】
以上述べたようにこの実施形態では、ザッピングモード設定時において、予め登録されたメイン視聴番組の視聴中に、他の番組に切り換えられると、メイン視聴番組以外の他の番組を所定時間だけ再生するザッピング開始を検知し、タイマに所定時間を設定し、このタイマから所定時間が経過したことが通知されると、上記ザッピングを解除し、メイン視聴番組の再生に戻すようにしている。
【００２３】
したがって、この実施形態の構成によれば、番組視聴中に他の番組にザッピングを行っても、所定時間経過後にザッピング開始前の視聴番組に確実に戻すことが可能である。例えば、メイン視聴番組のＣＭ中にザッピング操作を行っても、所定時間経過後には確実に元のメイン視聴番組を視聴することができる。これにより、メイン視聴番組の肝心な部分を見逃すような事態を防止することができる。
【００２４】
また、一定時間以上再生された番組を自動的にメイン視聴番組として登録するようにしているので、視聴中の番組をその都度メイン視聴番組として登録する手間を省くことができ、操作性が向上する。  
さらに、ザッピング中にメイン視聴番組に戻るまでの時間を表示するように構成しているため、メイン視聴番組に復帰するまでの時間を意識しつつ、ザッピング操作を自由に行うことができる。
【００２５】
また、タッチパネル１７に「延長」ボタン１７ｄ及び「短縮」ボタン１７ｅを設け、メイン視聴番組に戻るまでの復帰時間を任意に調整することが可能となっているので、ザッピング時間の延長・短縮を行った場合でも、メイン視聴番組に戻り忘れすることなく復帰させることができる。
【００２６】
また、上記実施形態では、番組と共に当該番組のコンテンツに関する番組情報が提供されているとき、メイン視聴番組中の切替時点を判断して、この切替時点に基づいてメイン視聴番組の復帰時間を設定するようにしている。このように構成することで、例えば、ザッピング時間に係わらず、メイン視聴番組において次のコンテンツが開始されるまでザッピングを行うことが可能となる。また、復帰時間の調整が不要になり、所定時刻に確実にメイン視聴番組が再生され、視聴の見逃しを防止することができる。
【００２７】
また、タッチパネル１７には、「キャンセル」ボタン１７ｃが設けられ、この「キャンセル」ボタン１７ｃが押下されると、ただちにメイン視聴番組の再生に戻すようにしている。これにより、ザッピング中であっても、簡単な操作ですぐにメイン視聴番組の視聴に切り換えることができる。
【００２８】
なお、この発明は上記実施形態に限定されるものではない。例えば、放送受信機１が放送番組以外の他のソースの再生装置と連携する機能を有する場合に、メイン視聴番組から他のソースの再生装置に再生が切り換えられた場合にも、所定時間経過後にメイン視聴番組の再生に戻るように構成してもよい。このようにすると、ザッピングモード中に他番組だけでなく、例えば、ラジオ、ビデオ、ＤＶＤなど他のソースの再生装置を視聴した場合でも、メイン視聴番組に確実に復帰することができる。
【００２９】
その他、放送受信機１の構成及びザッピングモード時の処理手順とその処理内容についても、この発明の要旨を逸脱しない範囲で種々に変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３０】
【図１】この発明に係わる放送受信機の構成を示すブロック図。
【図２】図１に示す放送受信機のザッピングモード設定時の動作を示す図。
【図３】図１に示す放送受信機の動作手順とその内容を示すフローチャート。
【符号の説明】
【００３１】
１…放送受信機、１１…アンテナ、１２…チューナ、１３…ＣＤＭ復調部、１４…デコーダ部、１５…ＣＰＵ、１６…バス、１７…タッチパネル、１８…キー・スイッチ、１９…リアルタイムクロック、１１０…ＲＡＭ、１１１…ＲＯＭ、１１２…表示装置、１１３…音声出力装置。１７ａ…「登録」ボタン、１７ｂ…「戻る」ボタン、１７ｃ…「キャンセル」ボタン、１７ｄ…「延長」ボタン、１７ｅ…「短縮」ボタン。
【図１】
2006319869.tif 000003
【図２】
2006319869.tif 000004
【図３】
2006319869.tif 000005